(57)【特許請求の範囲】
【請求項１】
自在継ぎ手用の継ぎ手ヨークにおいて、
前記継ぎ手ヨークが、長手方向軸線（５）、この長手方向軸線（５）上に心出しされた基部部分（６）、２本のヨークアーム（７，８）、ネジ（２２，２３，２４）を含んでおり、
前記２本のヨークアーム（７，８）が、
i）前記長手方向軸線（５）から等距離分だけ互に反対方向にずれており、
ii）前記長手方向軸線（５）に対して直角に延びている共通の孔軸線（１０）を有する支持孔（９）をそれぞれ有し、
iii）前記支持孔（９）によって互に分離され、前記基部部分（６）から軸方向に間隔が置かれた端面（１３，１４）を有する前記基部部分（６）と一体の２つのアーム部分（１１，１２）をそれぞれ有し、
iv）前記ネジにより前記２つのアーム部分の端面（１３，１４）に一体固定され、該２つのアーム部分と共に前記支持孔（９）を画成するブリッジ部分（１５，１８）を各々有しており、
前記各アーム部分が、前記端面に少なくとも２つのネジ付き孔（１９，２０，２１）を備え、
該少なくとも２つのネジ付き孔が、前記孔軸線（１０）上に投影されるその中心と前記長手方向軸線（５）との距離（Ｄ，Ｅ，Ｆ）が互に異なるよう配置され、前記距離が最大である前記ネジ付き孔（２１）が、他の前記ネジ付き孔（１９，２０）より大径（Ｘ）を有しており、
前記ブリッジ部分（１５，１８）が、前記２つのアーム部分の前記端面に対応する当接面（１６，１７）を備えかつ前記ネジ付き孔（１９，２０，２１）に一致する貫通孔（２５）を形成されており、
前記各アーム部分（１１，１２）に前記ブリッジ部分（１５，１８）を取着するために、前記ネジ（２２，２３，２４）が、前記貫通孔（２５）を貫通して前記ネジ付き孔（１９，２０，２１）に螺着されており、
更に、該ネジが、前記貫通孔の外端において該貫通孔より大きな直径を有する端部を備えた頭付きネジであることを特徴とする継ぎ手ヨーク。
【発明の詳細な説明】
【０００１】
【発明の属する技術分野】
本発明は、自在継ぎ手用の継ぎ手ヨークかつまたこの継ぎ手ヨークを含んでいる自在継ぎ手に関する。
【０００２】
【従来の技術】
長手方向軸線を含んでいる、継ぎ手ヨークを有する自在継ぎ手は従来から知られている（例えば、特許文献１参照）。
【０００３】
【特許文献１】
米国特許第５，６４７，７９９号明細書
【０００４】
特許文献１の記載において、長手方向軸線を含んでいる、継ぎ手ヨークを有する自在継ぎ手は長手方向軸線上に心出しされ、そこから２本のヨークアームが延びる基部部分を含んでいる。これら２本のヨークアームは長手方向軸線から反対方法にずれて配置される。各ヨークアームは支持孔を含んでいる。両方のヨークアームの支持孔は長手方向軸線に対して直角に延びる、共通の孔軸線上に配置される。各ヨークアームは基部部分と一体に形成されかつそれから突出する２つのアーム部分を有している。
【０００５】
２つのアーム部分は支持孔によって分離されかつ基部部分から間隔が置かれた端面を有している。これらの端面の各々には、それぞれ、ネジ付き孔が配置される。さらに、各ヨークアームはその２つのアーム部分を接続四反面と一致して形成された当接面を有するブリッジ要素を含みそしてそれによってアーム部分の２つの端面に当接しそしてブリッジ要素はネジによって固定される。このため、ブリッジ要素はそれぞれ当接面に貫通孔を有し、それを通してネジ付き頭付きのネジが対応するアーム部分のネジ付き孔に螺入され得る。
【０００６】
【発明が解決しようとする課題】
かかる継ぎ手ヨークかつそれゆえ、またこれらの継ぎ手ヨークを有する自在継ぎ手は特殊なトルク範囲に関して設計される。高いトルクに関して、それらが、例えば、圧延機の駆動装置に存在するとき、対応するアーム部分上に１以上のネジによって取着される、ブリッジ要素が設けられる。しかしながら、このためできるだけ高いトルク容量が達成されねばならない。
【０００７】
これは、継ぎ手ヨークに関して、できるだけ大きなベアリングブッシュが設けられねばならず、そのため支持孔が対応して大きく形成されねばならないことを意味している。このことは、ブリッジ要素の大きさかつしたがって、また、端面の大きさが一方で支持孔の大きさにかつ他方で回転直径に依存することを意味する。それゆえ、ブリッジ要素とアーム部分との間の接続がとくに重要である。
【０００８】
本発明の目的は高いトルク容量を有する継ぎ手ヨークを提供することにある。
【０００９】
【課題を解決するための手段】
上記目的は、本発明によれば、前記継ぎ手ヨークが、長手方向軸線、この長手方向軸線上に心出しされた基部部分、２本のヨークアーム、ネジを含んでおり、
前記２本のヨークアームが、
i）前記長手方向軸線から等距離分だけ互に反対方向にずれており、
ii）前記長手方向軸線に対して直角に延びている共通の孔軸線を有する支持孔をそれぞれ有し、
iii）前記支持孔によって互に分離され、前記基部部分から軸方向に間隔が置かれた端面を有する前記基部部分と一体の２つのアーム部分をそれぞれ有し、
iv）前記ネジにより前記２つのアーム部分の端面に一体固定され、該２つのアーム部分と共に前記支持孔を画成するブリッジ部分を各々有しており、
前記各アーム部分が、前記端面に少なくとも２つのネジ付き孔を備え、
該少なくとも２つのネジ付き孔が、前記孔軸線上に投影されるその中心と前記長手方向軸線との距離が互に異なるよう配置され、前記距離が最大である前記ネジ付き孔が、他の前記ネジ付き孔より大径を有しており、
前記ブリッジ部分が、前記２つのアーム部分の前記端面に対応する当接面を備えかつ前記ネジ付き孔に一致する貫通孔を形成されており、
前記各アーム部分に前記ブリッジ部分を取着するために、前記ネジが、前記貫通孔を貫通して前記ネジ付き孔に螺着されており、
更に、該ネジが、前記貫通孔の外端において該貫通孔より大きな直径を有する端部を備えた頭付きネジであることによって解決される。
【００１０】
この実施の形態における利点は、孔軸線上に突出されるとき、長手方向軸線から最も離れて配置されるネジが、ネジかつそれゆえネジ付き孔が同一の直径を有する配置に比して、トルク容量が著しく増加されることを保証するということである。
【００１１】
他の利点は、長手方向軸線に近接して孔軸線に関連して配置されたネジ付き孔、かつそれゆえ、また対応するネジがより小さく形成されるという事実のため、また互いに対する自在継ぎ手の２つの継ぎ手ヨークの角が増大され得るということである。そこで、同一のレイアウトにより、より大きな屈曲角が達成されることができる。
【００１２】
さらに他の実施の形態において、アーム部分の端面およびブリッジ部分の当接面が歯付き部を備えていることが提供される。好ましくは、その歯は孔軸線に平行に延びている。このため、ブリッジ要素を介しての２つのアーム部分の接続は、回転方向に依存して負荷されないアーム部分が、伝達に強力に伴われるので、さらに改善される。
【００１３】
３つのネジ付き孔が設けられる場合において、同一の直径を有するネジ付き孔の２つを形成することができる一方、長手方向軸線から最も離れた端面において、近隣の支持孔の孔軸線上に描かれるとき配置される、第３のネジ付き孔はより大きい直径を有している。３つのネジ付き孔が設けられる場合において、また、すべて異なる直径を形成することができる。すべて３つのネジ付き孔は、長手方向軸線に対して、近隣の支持孔の孔軸線上に描かれるとき、異なる距離により配置されることができる。本発明のさらに他の実施の形態において、端面ごとに、最大の直径を有するネジ付き孔が孔軸線に対して最小の距離を有することが提供される。
【００１４】
そのうえ、端面ごとに設けられるネジ付き孔は孔軸線に対してすべて異なる距離により配置され得る。
【００１５】
好ましくは、近隣の支持孔の孔軸線上に描かれるとき、長手方向軸線に対して最大の距離により配置されるネジ付き孔は、次のより小さいネジ付き孔に比して１ないし３５％だけ増大され、それにより伝達性の非常に大きな増加が達成されることができる。例えば、このネジ付き孔が次のより小さいネジ付き孔に比して直径において約２０％だけ大きさにおいて増大されるとき、端面のすべてのネジ付き孔が同一の直径を有する配置に比して２０％以上のトルクの増加が達成され得る。
【００１６】
本発明による目的は、また、本発明による継ぎ手ヨークの特徴の１またはそれ以上により形成される第１の継ぎ手ヨーク、第２の継ぎ手ヨークおよび第１の継ぎ手ヨークおよび第２の継ぎ手ヨークを接続するジャーナル十字継ぎ手を含んでいる自在継ぎ手によって解決される。
【００１７】
好ましくは、第２の継ぎ手ヨークは、また、本発明による継ぎ手ヨークの特徴により第１の継ぎ手ヨークと同様に形成される。
【００１８】
図面において本発明による継ぎ手ヨークのおよび自在継ぎ手の１つの実施の形態を概略敵に示す。
【００１９】
【発明の実施の形態】
図１はジャーナル十字継ぎ手によって互いに連接して接続される、第１の継ぎ手ヨーク２および第２の継ぎ手ヨーク３を有している自在継ぎ手を示している。すべての構成要素は長手方向軸線５上に心出しして示され、それは第１の継ぎ手ヨーク２が第２の継ぎ手ヨーク３に関連して屈曲されないことを意味している。
【００２０】
両方の継ぎ手ヨーク２，３は同一の方法において形成されることができる。しかしながら、両方は、また、設計において異なることもできる。これらの継ぎ手ヨークの１つ、すなわち第１の継ぎ手ヨーク２は、以下で実施の形態に関連してより詳細に説明される。第１の継ぎ手ヨーク２は長手方向軸線５上に心出しされた基部部分６、および２本のヨークアーム、すなわち、第１のヨークアーム７および第２のヨークアーム８を含んでいる。両方は基部部分６上で長手方向軸線５と反対方向にずれて取着される。
【００２１】
本発明により形成された第１の継ぎ手ヨーク２は図２ないし図５によって説明される。
【００２２】
第１の継ぎ手ヨーク２は図２の図示において、長手方向軸線５から頂部に向かってずれて配置される第１のヨークアーム７、および図２において、長手方向軸線５から底部に向かってずれて配置される第２のヨークアーム８を含んでいる。２本のヨークアーム７，８は同一に形成される。支持孔９はそれぞれ、２本のヨークアーム７，８を通って延びている。両方の支持孔９は孔軸線１０上に心出しされる。
【００２３】
孔軸線１０は長手方向軸線５に対して直角に延びている。２本のヨークアーム７，８は同一の方法において形成されかつ別々に形成されかつそれぞれ２つのアーム部分およびブリッジ要素、それぞれ１５および１８を含んでいる。ヨークアーム、すなわち、第１のヨークアーム７の構成に続いて、詳細に説明される。この説明は、また、第２のヨークアーム８の構成にも有効である。
【００２４】
とくに図３から見ることができるように、第１のヨークアーム７は２つのアーム部分、すなわち、第１のアーム部分１１およびこの第１のアーム部分から間隔が置かれた第２のアーム部分１２を含んでおりかつそれらは第１の継ぎ手ヨーク２の基部部分６に一体に接続されている。２つのアーム部分１１，１２は支持孔９の孔部分９ａによって互いに分離されている。
【００２５】
それらは基部部分６からそれぞれ間隔が置かれ、歯を備えている端面１３または１４を有しており、その歯は近隣の支持孔９の孔軸線１０に対して好ましくは平行に延びている。ヨークアーム７が分割されるので、支持孔９の部分９ｂがブリッジ要素１５の部分を形成する。ブリッジ要素１５は２つの当接面１６，１７を有し、そのさい第１の当接面１６は第１の端面１３に一致して形成されかつ第２の当接面１７は第２の端面１４に一致して形成される。
【００２６】
それぞれ、両面１３，１６または１４，１７の歯は対を形成しかつ互いに係合し、その結果一方でブリッジ要素１５と他方で２つのアーム部分１１，１２との間の相互係止接続が付与される。加えて、ブリッジ要素１５が、ネジによって、端面１３，１４または当接面１６，１７の区域において、それぞれ、アーム部分１１または１２に接続されることが設けられる。このため、ブリッジ要素１５には貫通孔が当接面１６，１７の区域に設けられる。幾つかの頭付きネジが図５に示される接続に使用されかつ以下で詳細に説明されるように配置されるけれども、１つの貫通孔２５のみを図３において見ることができる。
【００２７】
図４において、第１の端面１３に関連してネジ付き孔１９，２０，２１の配置およびレイアウトを見ることができる。第１のネジ付き孔１９は距離Ａにより孔軸線１０に関係して配置されかつ距離Ｄにより長手方向軸線５に関係して近隣の支持孔９の孔軸線１０上に描かれる。第２のネジ付き孔２０は長手方向軸線５に対して孔軸線１０上に描かれた距離Ｅによりかつ孔軸線１０に関係して距離Ｂにより図４において第１のネジ付き孔１９に対して配置される。そこでそれは第１のネジ付き孔１９に対してずれている。
【００２８】
第３のネジ付き孔２１は、距離ＤおよびＥに比して、長手方向軸線５に対して近隣の支持孔９の孔軸線１０上にその中心の投影として測定される、より大きな距離Ｆにより配置される。孔軸線１０に関連して、第３のネジ付き孔２１は距離Ｃにより配置される。第３のネジ付き孔２１は、また、さらに他のネジ付き孔１９，２０に比して、長手方向軸線５に対して最大の距離を有している。そのうえ、その直径Ｃは、また、他の孔１９，２０の直径に関連して著しく増加される（１および３５の間の、好ましくは、２０％の大きさの範囲において）。
【００２９】
対応する当接面１６上に、ネジ付き孔１９，２０，２１に螺入されるネジ、例えば図５による頭付きネジ２２，２３，２４の直径に適合させられる、ネジ付き孔１９，２０，２１に一致して貫通孔が設けられる。図３にはブリッジ要素１５の第３のネジ付き孔２１に関連してブリッジ要素１５を通る対応する貫通孔２５のみを見ることができる。頭付きネジ２２，２３，２４はブリッジ要素１５の対応する孔を通して、それぞれ、ネジ付き孔１９，２０，２１に挿入され、そのさい頭付きネジ２４はブリッジ要素１５の貫通孔２５にかつ第１のアーム部分１１の最大のネジ付き孔２１にかつその端面１３にそれぞれ属している。
【００３０】
図示実施の形態において、３つのネジ付き孔は各端面に設けられる。しかしながら、より多くの孔が可能であり、そのさい、しかしながら、長手方向軸線５に対して最大の距離により配置されたジ付き孔は、また、最大の直径を有すべきである。
他のネジ付き孔は、それぞれ、同一の直径を有することができるが、また、異なって形成される直径も可能である。
【００３１】
コンパクトな設計が、第３のネジ付き孔２１が最大の直径を有するとき、とくに達成され、孔軸線１０に近接して他のネジ付き孔１９，２０に比してまたは長手方向軸線５に対して最小の距離により配置される少なくともネジ付き孔１９により配置され、孔軸線１０に対して同一の距離によりそれらの孔軸線に関連して配置される。
【００３２】
ネジ付き孔１９，２０，２１に関連して説明が、それぞれ、孔軸線１０および長手方向軸線５に対する距離に関連してなされるかぎり、長手方向軸線５および孔軸線１０に対するそれらの距離に関連して近隣の支持孔９の孔軸線１０上に描かれたこれらのネジ付き孔１９，２０，２１の中心の距離または軸線が意味される。端面１３に関して付与された説明は、また、継ぎ手ヨークの２本のヨークアーム７，８のアーム部分のすべての端面に対応して有効である。
【００３３】
ところで、本発明による継ぎ手ヨークの構成並びにその実施の形態を列挙すると、概ね以下の通りである。
【００３４】
１．自在継ぎ手用の継ぎ手ヨークにおいて、
前記継ぎ手ヨークが、長手方向軸線（５）、この長手方向軸線（５）上に心出しされた基部部分（６）、２本のヨークアーム（７，８）、ネジ（２２，２３，２４）を含んでおり、
前記２本のヨークアーム（７，８）が、
i）前記長手方向軸線（５）から等距離分だけ互に反対方向にずれており、
ii）前記長手方向軸線（５）に対して直角に延びている共通の孔軸線（１０）を有する支持孔（９）をそれぞれ有し、
iii）前記支持孔（９）によって互に分離され、前記基部部分（６）から軸方向に間隔が置かれた端面（１３，１４）を有する前記基部部分（６）と一体の２つのアーム部分（１１，１２）をそれぞれ有し、
iv）前記ネジにより前記２つのアーム部分の端面（１３，１４）に一体固定され、該２つのアーム部分と共に前記支持孔（９）を画成するブリッジ部分（１５，１８）を各々有しており、
前記各アーム部分が、前記端面に少なくとも２つのネジ付き孔（１９，２０，２１）を備え、
該少なくとも２つのネジ付き孔が、前記孔軸線（１０）上に投影されるその中心と前記長手方向軸線（５）との距離（Ｄ，Ｅ，Ｆ）が互に異なるよう配置され、前記距離が最大である前記ネジ付き孔（２１）が、他の前記ネジ付き孔（１９，２０）より大径（Ｘ）を有しており、
前記ブリッジ部分（１５，１８）が、前記２つのアーム部分の前記端面に対応する当接面（１６，１７）を備えかつ前記ネジ付き孔（１９，２０，２１）に一致する貫通孔（２５）を形成されており、
前記各アーム部分（１１，１２）に前記ブリッジ部分（１５，１８）を取着するために、前記ネジ（２２，２３，２４）が、前記貫通孔（２５）を貫通して前記ネジ付き孔（１９，２０，２１）に螺着されており、
更に、該ネジが、前記貫通孔の外端において該貫通孔より大きな直径を有する端部を備えた頭付きネジであることを特徴とする継ぎ手ヨーク。
【００３５】
２．前記アーム部分（１１，１２）の前記端面（１３，１４）および前記ブリッジ部分（１５，１８）の前記当接面（１６，１７）が歯付き部を備えていることを特徴とする項目１に記載の継ぎ手ヨーク。
【００３６】
３．前記歯付き部の歯が前記孔軸線（１０）に対して平行に延びていることを特徴とする項目２に記載の継ぎ手ヨーク。
【００３７】
４．端面（１３，１４）ごとに、３つのネジ付き孔（１９，２０，２１）がそして当接面（１６，１７）ごとに、前記３つのネジ付き孔に対応する３つの貫通孔（２５）が設けられ、そのさい前記３つのネジ付き孔（１９，２０，２１）がすべて前記長手方向軸線（５）に対して異なる距離（Ｄ，Ｅ，Ｆ）により配置されることを特徴とする項目１に記載の継ぎ手ヨーク。
【００３８】
５．各端面（１３，１４）に設けられた前記３つのネジ付き孔（１９，２０，２１）がすべて異なる直径を有することを特徴とする項目４に記載の継ぎ手ヨーク。
【００３９】
６．端面（１３，１４）ごとに、最大の直径（Ｘ）を有する前記ネジ付き孔（２１）が前記孔軸線（１０）に対して最小の距離（Ｃ）に設けられることを特徴とする項目１に記載の継ぎ手ヨーク。
【００４０】
７．各端面（１３，１４）に設けられた前記ネジ付き孔（１９，２０，２１）がすべて前記孔軸線（１０）に対して異なる距離（Ａ，Ｂ，Ｃ）により配置されることを特徴とする項目６に記載の継ぎ手ヨーク。
【００４１】
８．前記長手方向軸線（５）に対して最大の距離により配置された前記ネジ付き孔（２１）および対応するネジ（２４）が、それぞれ、次のより小さいネジ付き孔（２０）またはネジ（２３）より、１ないし３５％、好ましくは、２０％だけ直径において大きく形成されることを特徴とする項目１に記載の継ぎ手ヨーク。
【００４２】
９．項目１ないし８のいずれか１項に記載の第１継ぎ手ヨーク（２）、
第２継ぎ手ヨーク（３）および
前記第１継ぎ手ヨーク（２）および前記第２継ぎ手ヨーク（３）を接続するジャーナル十字継ぎ手（４）を含んでいることを特徴とする自在継ぎ手。
【００４３】
１０．また、前記第２継ぎ手ヨーク（３）が項目１ないし８のいずれか１項によって形成されることを特徴とする自在継ぎ手。
【００４４】
【発明の効果】
叙上のごとく、本発明による自在継ぎ手用の継ぎ手ヨークは、自在継ぎ手用の継ぎ手ヨークにおいて、
前記継ぎ手ヨークが、長手方向軸線、この長手方向軸線上に心出しされた基部部分、２本のヨークアーム、ネジを含んでおり、
前記２本のヨークアームが、
i）前記長手方向軸線から等距離分だけ互に反対方向にずれており、
ii）前記長手方向軸線に対して直角に延びている共通の孔軸線を有する支持孔をそれぞれ有し、
iii）前記支持孔によって互に分離され、前記基部部分から軸方向に間隔が置かれた端面を有する前記基部部分と一体の２つのアーム部分をそれぞれ有し、
iv）前記ネジにより前記２つのアーム部分の端面に一体固定され、該２つのアーム部分と共に前記支持孔を画成するブリッジ部分を各々有しており、
前記各アーム部分が、前記端面に少なくとも２つのネジ付き孔を備え、該少なくとも２つのネジ付き孔が、前記孔軸線上に投影されるその中心と前記長手方向軸線との距離が互に異なるよう配置され、前記距離が最大である前記ネジ付き孔が、他の前記ネジ付き孔より大径を有しており、前記ブリッジ部分が、前記２つのアーム部分の前記端面に対応する当接面を備えかつ前記ネジ付き孔に一致する貫通孔を形成されており、前記各アーム部分に前記ブリッジ部分を取着するために、前記ネジが、前記貫通孔を貫通して前記ネジ付き孔に螺着されており、更に、該ネジが、前記貫通孔の外端において該貫通孔より大きな直径を有する端部を備えた頭付きネジである構成としたので、高いトルク容量を有する継ぎ手ヨークを提供することができる。
【図面の簡単な説明】
【図１】本発明による継ぎ手ヨークを備えた自在継ぎ手を示す側面図である。
【図２】個々の構成要素として本発明による継ぎ手ヨークを示す部分断面図である。
【図３】ブリッジ要素が分解された状態で示される、図２の平面図である。
【図４】図３の継ぎ手ヨークの１部分を、第１のヨークアームの端面上で示す拡大部分図である。
【図５】組み立てられたブリッジ要素を有する、図４に対応する拡大部分図である。
【符号の説明】
１  自在継ぎ手
２  第１の継ぎ手ヨーク
３  第２の継ぎ手ヨーク
４  ジャーナル十字継ぎ手
５  長手方向軸線
６  基部部分
７  第１のヨークアーム
８  第２のヨークアーム
９  支持孔
９ａ  支持孔
９ｂ  支持孔
１０  孔軸線
１１  第１のアーム部分
１２  第２のアーム部分
１３  第１の端面
１４  第２の端面
１５  第１のブリッジ要素
１６  第１の当接面
１７  第２の当接面
１８  第２のブリッジ要素
１９  第１のネジ付き孔
２０  第２のネジ付き孔
２１  第３のネジ付き孔
２２  第１の頭付きネジ／ネジ
２３  第２の頭付きネジ／ネジ
２４  第３の頭付きネジ／ネジ
２５  貫通孔
Ａ  距離
Ｂ  距離
Ｃ  距離
Ｄ  距離
Ｅ  距離
Ｆ  距離
Ｘ  直径
【図１】
0003747226.tif 000002
【図２】
0003747226.tif 000003
【図３】
0003747226.tif 000004
【図４】
0003747226.tif 000005
【図５】
0003747226.tif 000006